(57)【要約】  本発明は、壁の建設のための使い捨ての型枠（１）のためのスペーサ要素（４、４’）であって、前記型枠（１）は、第１のパネル（２）と第２のパネル（３）とを備えるタイプである、スペーサ要素（４、４’）に関する。前記スペーサ要素（４、４’）は、一方から他方に所定の距離で配置された前記第１のパネル（２）と前記第２のパネル（３）とを互いに相互に連結するように構成されている。前記スペーサ要素（４、４’）は、使用中、前記第１のパネル（２）に連結されるように構成された第１の接続部（２３）と、前記第１の接続部（２３）の反対側の、使用中、前記第２のパネル（３）に連結されるように構成された第２の接続部（２５）と、使用中、前記型枠（１）の外側と連通した少なくとも１つの側部開口（１４’、１４’’、１５’、１５’’、１６’、１６’’）が装備された少なくとも１つの管(１４、１５、１６)と、を備える。前記少なくとも１つの管(１４、１５、１６)において、使用中、前記型枠（１）の内部分と連通した少なくとも１つの貫通穴（１４ａ、１４ｂ、１４ｃ、１４ｄ；１５ａ、１５ｂ、１５ｃ、１５ｄ；１６ａ、１６ｂ、１６ｃ、１６ｄ）が配設されており、前記型枠（１）の前記外側から前記内側部分に向かう空気の流れと前記内側部分から前記型枠（１）の前記外側に向かう液体の流出とを許可するようになっている。本発明は、更に、壁の建設のための使い捨ての型枠（１）に関係する。当該型枠（１）は、２つのパネル（２、３）と、前記２つのパネル（２、３）を連結するように前記２つのパネル（２、３）の間に配置された、上述の型の少なくとも１つのスペーサ要素（４、４’）と、を備える。
2019505709.tif 000002
【特許請求の範囲】
【請求項１】
壁の建設のための使い捨ての型枠（１）のためのスペーサ要素（４、４’）であって、前記型枠（１）は、第１のパネル（２）と第２のパネル（３）とを備えるタイプであり、前記スペーサ要素（４、４’）は、一方から他方に所定の距離で配置された前記第１のパネル（２）と前記第２のパネル（３）とを互いに相互に連結するように構成された、スペーサ要素（４、４’）であって、
使用中、前記第１のパネル（２）に連結されるように構成された第１の接続部（２３）と、
前記第１の接続部（２３）の反対側の、使用中、前記第２のパネル（３）に連結されるように構成された第２の接続部（２５）と、
使用中、前記型枠（１）の外側と連通した少なくとも１つの側部開口（１４’、１４’’、１５’、１５’’、１６’、１６’’）が設けられた少なくとも１つの管(１４、１５、１６)と、を備え、
前記少なくとも１つの管(１４、１５、１６)に、使用中、前記型枠（１）の内部分と連通した少なくとも１つの貫通穴（１４ａ、１４ｂ、１４ｃ、１４ｄ；１５ａ、１５ｂ、１５ｃ、１５ｄ；１６ａ、１６ｂ、１６ｃ、１６ｄ）が配設されており、前記型枠（１）の前記外側から前記内側部分に向かう空気の流れと前記内側部分から前記型枠（１）の前記外部に向かう液体の流出とを許可するようになっている、スペーサ要素（４、４’）。
【請求項２】
前記第１の接続部は、第１の接続手段（２３）を備え、前記第２の接続部は、第２の接続手段（２５）を備える、ことを特徴とする請求項１に記載のスペーサ要素（４、４’）。
【請求項３】
前記第１の接続手段（２３）および前記第２の接続手段（２５）は、前記少なくとも１つの管(１４、１５、１６)と単一部品で形成されている、ことを特徴とする請求項２に記載のスペーサ要素（４、４’）。
【請求項４】
前記少なくとも１つの管(１４、１５、１６)における前記少なくとも１つの貫通穴は、前記少なくとも１つの管(１４、１５、１６)に対して長手方向に配置された少なくとも１列の貫通穴（１４ａ、１４ｂ、１４ｃ、１４ｄ；１５ａ、１５ｂ、１５ｃ、１５ｄ；１６ａ、１６ｂ、１６ｃ、１６ｄ）を備える、ことを特徴とする請求項１〜３のいずれか一項に記載のスペーサ要素（４、４’）。
【請求項５】
前記少なくとも１つの貫通穴（１４ａ、１４ｂ、１４ｃ、１４ｄ；１５ａ、１５ｂ、１５ｃ、１５ｄ；１６ａ、１６ｂ、１６ｃ、１６ｄ）は、３ｍｍ以下の直径を有する、ことを特徴とする請求項１〜４のいずれか一項に記載のスペーサ要素（４、４’）。
【請求項６】
前記少なくとも１つの側部開口は、前記第１の接続部（２３）に配置された少なくとも１つの第１の側部開口（１４’、１５’、１６’）と、前記第２の接続部（２５）に配置された少なくとも１つの第２の側部開口（１４’’、１５’’、１６’’）と、を備える、ことを特徴とする請求項１〜５のいずれか一項に記載のスペーサ要素（４、４’）。
【請求項７】
前記少なくとも１つの管(１４、１５、１６)は、前記少なくとも１つの第１の側部開口（１４’、１５’、１６’）に向かう第１の内部勾配と、前記少なくとも１つの第２の側部開口（１４’’、１５’’、１６’’）に向かう第２の内部勾配と、を有する、ことを特徴とする請求項６に記載のスペーサ要素（４、４’）。
【請求項８】
前記少なくとも１つの管は、相互に離間した実質的に平行な３つの管(１４、１５、１６)を備える、ことを特徴とする請求項１〜７のいずれか一項に記載のスペーサ要素（４、４’）。
【請求項９】
使用中、下側整列要素に連結されるように構成された下側係合部（２７）を備える、ことを特徴とする請求項１〜８のいずれか一項に記載のスペーサ要素（４、４’）。
【請求項１０】
使用中、上側整列要素に連結されるように構成された上側係合部（２９）を備える、ことを特徴とする請求項１〜９のいずれか一項に記載のスペーサ要素（４、４’）。
【請求項１１】
前記少なくとも１つの管の中間ゾーンに、ヒートブリッジ現象を防止するために遮断要素（３５’、３６’、３７’）が設けられている、ことを特徴とする請求項１〜１０のいずれか一項に記載のスペーサ要素（４’）。
【請求項１２】
壁の建設のための使い捨ての型枠（１）であって、前記型枠（１）は、２つのパネル（２、３）と、前記２つのパネル（２、３）を連結するように前記２つのパネル（２、３）の間に配置された、請求項１〜１１のいずれか一項に記載の少なくとも１つのスペーサ要素（４、４’）と、を備える、型枠（１）。
【請求項１３】
前記２つのパネル（２、３）の少なくとも１つのパネルに、前記少なくとも１つの管(１４、１５、１６)の前記少なくとも１つの側部開口（１４’、１４’’、１５’、１５’’、１６’、１６’’）と連通した、少なくとも１つの開口（６’）が配設されている、ことを特徴とする請求項１２に記載の型枠（１）。
【発明の詳細な説明】
【技術分野】
【０００１】
本発明は、使い捨ての型枠のためのスペーサ要素と当該スペーサ要素を組み入れた使い捨ての型枠とに関する。前記型枠は、特に、壁、具体的には外側囲い壁と内側隔壁の両方、の建設のために意図されている。
【背景技術】
【０００２】
壁の建設のための様々なタイプの使い捨ての型枠が知られている。
【０００３】
コンクリート壁の建設のための型枠の第１の例が、国際特許出願のＷＯ２０１４／０９１３７７に示されており、これは、実際、複数の対向するモジュラーパネルと、互いから所定の距離で互いに対向して配置された２つのパネルを連結するために設けられた一連の接続手段と、を備えた使い捨て型枠について言及している。
【０００４】
当該接続手段は、直線的にひっくり返った「Ｕ」字形状を表しており、２つの各端部は、同じパネルの内側部分に形成されたスロット内で係合している。
【０００５】
他のモジュラー型枠の解決策は、国際特許出願のＷＯ２０１４／０４２５０２に記載されている。
【０００６】
この型枠は、互いに対向して配置され、実質的に長方形の形状を有するスペーサ要素の様々な列により共に保持された一連のパネルにより形成されており、スペーサ要素には、２つの貫通穴が配設され、一方が他方の上に配置されている。
【０００７】
しかしながら、知られたタイプの型枠は、主に現場での使用に関連して種々の欠点と技術的制限を有している。
【０００８】
セメントベースモルタルが型枠に流し込まれた後、通常はセメントベースモルタル自体の硬化は遅くて不十分である。
【０００９】
使い捨て型枠の更なる例が、同じ出願人による伊国特許出願のＡＮ２０１５Ａ００００１１号に示されており、これは、事実上、互いに対向して配置され、一連のスペーサ部材を介して接合された２つの穴空きパネルを実質的に備える型枠を開示している。
【発明の概要】
【発明が解決しようとする課題】
【００１０】
本発明の目的は、上記で強調された先行技術の問題を克服することと、伊国特許出願第ＡＮ２０１５Ａ００００１１号で同じ出願人により提案された技術的な解決策を更に完成させることである。
【００１１】
本発明の他の目的は、壁の建設のための使い捨ての型枠のためのスペーサ要素であって、高い機械的な抵抗特性を有する壁を得ることに貢献するスペーサ要素を提供することである。
【００１２】
本発明の他の目的は、壁の建設のための使い捨ての型枠のためのスペーサ要素であって、完成された壁を得るために必要とされる時間を削減することが可能なスペーサ要素を提供することである。
【課題を解決するための手段】
【００１３】
それゆえ、本発明の特定の主題は、壁の建設のための使い捨ての型枠のためのスペーサ要素である。前記型枠は、第１のパネルと第２のパネルとを備えるタイプであり、前記スペーサ要素は、一方から他方に所定の距離で配置された前記第１のパネルと前記第２のパネルとを互いに相互に連結するように構成された、スペーサ要素であって、使用中、前記第１のパネルに連結されるように構成された第１の接続部と、前記第１の接続部の反対側の、使用中、前記第２のパネルに連結されるように構成された第２の接続部と、使用中、前記型枠の外側と連通した少なくとも１つの側部開口が設けられた少なくとも１つの管と、を備え、前記少なくとも１つの管に、使用中、前記型枠の内部分と連通した少なくとも１つの貫通穴が配設されており、前記型枠の前記外側から前記内側部分に向かう空気の流れと前記内側部分から前記型枠の前記外部に向かう液体の流出とを許可するようになっている。
【００１４】
有利には、本発明によれば、前記第１の接続部は、第１の接続手段を備えてもよく、前記第２の接続部は、第２の接続手段を備えてもよい。
【００１５】
更に、本発明によれば、前記第１の接続手段および前記第２の接続手段は、前記少なくとも１つの管と単一部品で形成されていてもよい。
【００１６】
好ましくは、本発明によれば、前記少なくとも１つの管における前記少なくとも１つの貫通穴は、前記少なくとも１つの管に対して長手方向に配置された少なくとも１列の貫通穴を備えてもよい。
【００１７】
更に、本発明によれば、前記少なくとも１つの貫通穴は、３ｍｍ以下の直径を有してもよい。
【００１８】
好ましくは、本発明によれば、前記少なくとも１つの側部開口は、前記第１の接続部に配置された少なくとも１つの第１の側部開口と、前記第２の接続部に配置された少なくとも１つの第２の側部開口と、を備えてもよい。
【００１９】
また、本発明によれば、前記少なくとも１つの管は、前記少なくとも１つの第１の側部開口に向かう第１の内部勾配と、前記少なくとも１つの第２の側部開口に向かう第２の内部勾配と、を有してもよい。
【００２０】
好ましくは、本発明によれば、前記少なくとも１つの管は、相互に離間した実質的に平行な３つの管を備えてもよい。
【００２１】
有利には、本発明によれば、前記スペーサ要素は、使用中、下側整列要素に連結されるように構成された下側係合部を備えてもよい。
【００２２】
更に、本発明によれば、前記スペーサ要素は、使用中、上側整列要素に連結されるように構成された上側係合部を備えてもよい。
【００２３】
有利には、本発明によれば、前記少なくとも１つの管の中間ゾーンに、ヒートブリッジ現象を防止するために遮断要素が設けられていてもよい。
【００２４】
また、本発明の主題は、壁の建設のための使い捨ての型枠であって、前記型枠は、２つのパネルと、前記２つのパネルを連結するように前記２つのパネルの間に配置された、上で指し示されるタイプの少なくとも１つのスペーサ要素と、を備える、型枠である。
【００２５】
有利には、本発明によれば、前記２つのパネルの少なくとも１つのパネルに、前記少なくとも１つの管の前記少なくとも１つの側部開口と連通した、少なくとも１つの開口が配設されてもよい。
【００２６】
特徴と利点は、添付図面に非制限的な例として示される好ましいが排他的でない実施形態の以下の記述の中でより明らかになるだろう。
【図面の簡単な説明】
【００２７】
【図１】図１は、本発明による、複数のスペーサ要素を組み入れた使い捨て型枠を示す。
【図２】図２は、本発明の第１の実施形態によるスペーサ要素の不等角投影図である。
【図３】図３は、図２によるスペーサ要素の側面図である。
【図４】図４は、図２および図３によるスペーサ要素の上方からの平面図である。
【図５】図５は、本発明の第２の実施形態におけるスペーサ要素の斜視図である。
【図６】図６は、図５に示されるスペーサ要素の側面図である。
【図７】図７は、図５および図６によるスペーサ要素の上方からの平面図である。
【図８】図８は、図１に示される使い捨ての型枠のパネルの第１の側面の詳細図である。
【図９】図９は、図１に描かれる使い捨ての型枠のパネルの第２の側面の詳細図である。
【発明を実施するための形態】
【００２８】
同封された図面を参照すると、１は、建物の壁、具体的には外側囲い壁と内側隔壁の両方、の建設のためのモジュラー使い捨て型枠を指し示している。
【００２９】
型枠１は、実質的に正方形または長方形の形状の第１のパネル２と第２のパネル３とを備えており、複数のスペーサ要素４が、前記第１のパネル２と第２のパネル３との間に配置されている。
【００３０】
スペーサ要素４は、第１のパネル２および第２のパネル３と同様、好ましくはプラスチック材料で作製されている。
【００３１】
第１のパネル２と第２のパネル３はそれぞれ、第１の側面５ａと、第１の側面５ａと反対側の第２の側面５ｂと、を有している。
【００３２】
図１に示される型枠１の組立形態では、第１のパネル２と第２のパネル３は互いに対向している、すなわち、各第１の側面５ａが相互に互いに向き合っている。
【００３３】
前記パネル２、３の各々の第１の側面５ａには、複数のガイド６が設けられており、垂直方向に整列された様々な列に配置されて、前述した複数のスペーサ要素４への接続を可能にする機能を果たしている。
【００３４】
各ガイド６は、２つのＬ形状のタブ６ａ、６ｂにより形成されており、それらの間に空きスペース７を形成するように互いに対向して配置されている。空きスペース７は、第１の水平スリット８を通して頂部で開放され、第２の水平スリット９を通して底部で開放され、第３の垂直スリット１０を通して第１の側面５ａにおいて開放され、第４の開口１１と共に第２の側面５ｂにおいて開放されている。
【００３５】
前記第１のパネル２と第２のパネル３の各々は、以下でより明確に特定されるように、型枠１の内側部分の通気と、コンクリートが型枠１自体に流し込まれた後の型枠１からの液体の流出とを可能にするための一連の開口６’を更に有している。
【００３６】
第1のパネル２と第２のパネル３には、通気口１２も配設されており、型枠１に流し込まれた後のセメントベースモルタルの通気を可能にしている。
【００３７】
前記第１のパネル２と第２のパネル３の各々の周縁には、垂直および水平方向の両方に、上述したタイプの他のパネルとの接続を可能にするための接続要素のように適合する部分が存在する。
【００３８】
ところで、図１を参照すると、スペーサ要素４は、各パネルに設けられたガイド６の垂直列と同じ数である。
【００３９】
同封された図面に示される特定の事例において、３つのスペーサ要素４が存在する。
【００４０】
上で述べたように、スペーサ要素４は、第１のパネル２と第２のパネル３との間に介在されている。
【００４１】
各スペーサ要素４は、３つの相互に平行な横断部材、すなわち、上側横断部材１４と、下側横断部材１５と、上側横断部材１４および下側横断部材１５に対して実質的に等距離の位置に配置された中央横断部材１６と、を備えたフレーム１３により形成されている。
【００４２】
上側横断部材１４、下側横断部材１５および中央横断部材１６はそれぞれ、第１の側部開口１４’、１５’、１６’と第２の側部開口１４’ ’、１５’ ’、１６’ ’とをそれぞれ画定する管により形成されており、管は、型枠１の内側部分の通気と液体の流出のためのものであり、管には、４つのそれぞれの貫通穴１４ａ、１４ｂ、１４ｃ、１４ｄ、１５ａ、１５ｂ、１５ｃ、１５ｄ、１６ａ、１６ｂ、１６ｃ、１６ｄの長手方向列が配設されている。
【００４３】
特に、スペーサ要素４の一方に設けられた第１の側部開口１４’、１５’、１６’は、他方に設けられた第２の側部開口１４’’、１５’’、１６’’と同様、型枠１の組立形態において、開口６’をそれぞれ向くように配置されている。
【００４４】
貫通穴１４ａ、１４ｂ、１４ｃ、１４ｄ、１５ａ、１５ｂ、１５ｃ、１５ｄ、１６ａ、１６ｂ、１６ｃ、１６ｄの前述した長手方向列の各穴は、好ましくは、３ｍｍ以下の直径を有している。
【００４５】
上側横断部材１４、下側横断部材１５および中央横断部材１６の内側部分は、完全には直線ではない。それらはそれぞれ、以下でより明確に特定されるように、外側に向かう液体の流出を容易にするために、各中間ゾーンから生じ、相対的な端部（ｒｅｌａｔｉｖｅ  ｅｎｄｓ）に向けて下降する、２つの対向勾配を有している。
【００４６】
フレーム１３は、第１の側部上側垂直材１７ａと、第２の側部上側垂直材１７bと、中央上側垂直材１７cと、を備える３つの上側垂直材の一式を更に備えており、それらは、中央横断部材１６から上側横断部材１４へ垂直に延びている。
【００４７】
また、フレーム１３は、第１の側部下側垂直材１８ａと、第２の側部下側垂直材１８bと、中央下側垂直材１８cと、により形成される３つの下側垂直材の一式を備えており、それらは、中央横断部材１６から下側横断部材１５へ垂直に延びている。
【００４８】
特に、第１の側部上側垂直材１７ａ、第２の側部上側垂直材１７bおよび中央上側垂直材１７cは、それぞれ第１の側部下側垂直材１８ａ、第２の側部下側垂直材１８bおよび中央下側垂直材１８cと整列して、上側横断部材１４、下側横断部材１５および中央横断部材１６と共に、実質的に同一形状の４つの空きスペース１９、２０、２１、２２を形成している。
【００４９】
第１の側部上側垂直材１７ａおよび第１の側部下側垂直材１８ａにおける、スペーサ要素４の第１の側部端には、第１の平坦要素２３が設けられており、横断部材１４、１５、１６の管の第１の側部開口１４’、１５’、１６’に対して最も外側の位置に配置されて、各スリットが、横断部材１４、１５、１６と第１の平坦要素２３との間に形成されている。
【００５０】
更に、第１の平坦要素２３には、３つの第１の開口２４ａ、２４ｂ、２４ｃが配設されており、それぞれ、横断部材１４、１５、１６の管の第１の側部開口１４’、１５’、１６’と実質的に対向して配置されている。
【００５１】
同様に、前述した第１の側部端の反対側の、スペーサ要素４の第２の側部端には、第１の平坦要素２３に平行で、横断部材１４、１５、１６の管の第２の側部開口１４’’、１５’’、１６’’に対して最も外側の位置に配置された第２の平坦要素２５が存在しており、この場合も、各スリットが、横断部材１４、１５、１６と第２の平坦要素２５との間に形成されている。
【００５２】
また、第２の平坦要素２５には、３つの第２の開口２６ａ、２６ｂ、２６ｃが設けられており、それぞれ、横断部材１４、１５、１６の管の第２の側部開口１４’’、１５’’、１６’’と実質的に対向して位置付けられている。
【００５３】
下側横断部材１５の下側部分には、下側係合部２７が設けられており、その下側端から２つの下側開口２８’、２８’’が延びており、実質的に長方形の形状をしている。
【００５４】
同様に、上側横断部材１４の上側部分には、上側係合部２９が設けられており、その上側端から２つの上側開口３０’、３０’’が延びており、実質的に長方形の形状をしている。
【００５５】
下側開口２８’、２８’’と上側開口３０’、３０’’は、すべてのスペーサ要素４のスペースで整列を行う目的で、型枠１に対して長手方向に配置された（同封された特許請求の範囲に示されていない）それぞれの相補的な要素と係合するように適合されている。
【００５６】
空きスペース１９、２０、２１、２２の各々には、湾曲した付属物３１、３２、３３、３４が設けられており、それぞれ、前記第１の側部上側垂直材１７ａ、第２の側部上側垂直材１７b、第１の側部下側垂直材１８ａおよび第２の側部下側垂直材１８bから中央横断部材１６に向けて延びている。
【００５７】
当該湾曲した付属物３１、３２、３３、３４は、あらゆる種類の設置のための管および／またはケーブルの通り道のためのガイドとして作用し、セメントベースモルタルが流し込まれる前に、管および／またはケーブルは、それらにより画定されたスペースで型枠１内に入ることができる。
【００５８】
各スペーサ要素４は、単一部品で形成されている。
【００５９】
型枠１の組立てのために、スペーサ要素４は、第１のパネル２と第２のパネル３に設けられたガイド６の対応する垂直列に連結されなければならず、第１の平坦要素２３は、前記パネルのうちの一方のパネルのガイド６により特定されるハウジング７内に挿入され、第２の平坦要素２５は、他方のパネルのガイド６により特定されるハウジング７内に入れられて、前記パネル２、３は、互いに平行に、かつ互いに対向して配置される。
【００６０】
一度、型枠１の全体構造が、水平および／または垂直方向に適切にそれらが連結されることによって、壁の建設のために建てられると、セメントベースモルタルをこのような構造を備える型枠１に流し込むことができ、その後、建てられた壁への表面仕上げ作業を行うことができる。
【００６１】
この時点で、仕上げ壁に使用されたセメントベースモルタルが完全に硬化するのを待つ必要がある。
【００６２】
ところで、図５、図６および図７を具体的に参照すると、数値４’は、なお本発明による、更なるスペーサ要素を指し示している。
【００６３】
当該スペーサ要素４’は、以下のこと以外は、上述したスペーサ要素４のそれと同一の構造を有している。それは、３つの横断部材の管が、相対的な中央部分でそれぞれ遮断部３５’、３６’、３７’を有しており、各パイプが、事実上、互いに分離した管の組３８’、３９’；４０’、４１’；４２’、４３’として構成され、互いに連通しないように、スペーサ要素４’の内側に面する各面において閉じていることである。
【００６４】
このような遮断部３５’、３６’、３７’を設けることは、そうでなければ仕上げ建設において生じていたであろう、特に望ましくないヒートブリッジ現象を防止することを可能にする。
【００６５】
一方、スペーサ要素４’を使用する場合に型枠１を組み立てる方法に関しては、スペーサ要素４を参照して上で指し示したものと同じままである。
【００６６】
壁の建設のために上述した型枠１を使用するとき、驚くべきことに二重の効果が見出された。すなわち、セメントベースモルタルの硬化時間の大幅な削減と、壁のより均質で均一な硬化プロセスにより壁自体の機械的および構造的な性能の正味の向上である。
【００６７】
このような二重の効果は、各スペーサ要素４に上述した横断部材１４、１５、１６を設けたことにより生じ、一方では、セメントベースの水の液体生成物が、貫通穴１４ａ、１４ｂ、１４ｃ、１４ｄ、１５ａ、１５ｂ、１５ｃ、１５ｄ、１６ａ、１６ｂ、１６ｃ、１６ｄを通過して開口１４’、１４’’、１５’、１５’’、１６’、１６’’から型枠１を出て流れることを可能にし、他方では、外部環境の空気が、セメントベースモルタルの乾燥とそれゆえの硬化を促進するために、横断部材１４、１５、１６を備える管に入って型枠１の内側部分に到達することを可能にする。
【００６８】
上記は、例示的かつ非限定的な説明を提供することを意図しており、それゆえ任意の構造の変形は、上述および特許請求の範囲の記載のような本技術的解決策の保護の範囲内にあると考えられる。
【図１】
2019505709.tif 000003
【図２】
2019505709.tif 000004
【図３】
2019505709.tif 000005
【図４】
2019505709.tif 000006
【図５】
2019505709.tif 000007
【図６】
2019505709.tif 000008
【図７】
2019505709.tif 000009
【図８】
2019505709.tif 000010
【図９】
2019505709.tif 000011
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
壁の建設のための使い捨ての型枠（１）であって、
前記型枠（１）は、２つのパネル（２、３）と、前記２つのパネル（２、３）を連結するように前記２つのパネル（２、３）の間に配置された少なくとも１つのスペーサ要素（４、４’）と、を備え、
前記スペーサ要素（４、４’）は、一方から他方に所定の距離で配置された前記第１のパネル（２）と前記第２のパネル（３）とを互いに相互に連結するように構成されており、
前記スペーサ要素（４、４’）は、
使用中、前記第１のパネル（２）に連結されるように構成された第１の接続部（２３）と、
前記第１の接続部（２３）の反対側の、使用中、前記第２のパネル（３）に連結されるように構成された第２の接続部（２５）と、
使用中、前記型枠（１）の外側と連通した少なくとも１つの側部開口（１４’、１４’’、１５’、１５’’、１６’、１６’’）が設けられた少なくとも１つの管(１４、１５、１６)と、を備え、
前記少なくとも１つの管(１４、１５、１６)は、使用中、前記型枠（１）の内部分と連通した少なくとも１つの貫通穴（１４ａ、１４ｂ、１４ｃ、１４ｄ；１５ａ、１５ｂ、１５ｃ、１５ｄ；１６ａ、１６ｂ、１６ｃ、１６ｄ）が配設されており、前記型枠（１）の前記外側から前記内側部分に向かう空気の流れと前記内側部分から前記型枠（１）の前記外側に向かう液体の流出とを許可するようになっており、
前記２つのパネル（２、３）の少なくとも１つのパネルに、前記少なくとも１つの管(１４、１５、１６)の前記少なくとも１つの側部開口（１４’、１４’’、１５’、１５’’、１６’、１６’’）と連通した、少なくとも１つの開口（６’）が配設されている、ことを特徴とする、型枠（１）。
【国際調査報告】
2019505709.tif 000012
2019505709.tif 000013